(57)【要約】【課題】簡単な操作で、ゆっくり表示させたいコマを自由に選択でき、選択されたコマの前後に映っている被写体の状態を仔細に観察することができる画像表示方法、画像表示プログラム及び記録媒体を提供する。【解決手段】複数のコマ画像が一覧表示される１枚の元画像を表示し、その元画像内において所望のコマ画像が表示された位置を選択することにより、そのコマ画像を選択する。そして、複数のコマ画像を、自動的に、またはマニュアル操作によって、順々に時間差をもってスライドショー表示する。自動的にスライドショー表示中に、選択されたコマ画像まで表示を行った後、マニュアルスライドショー表示に切り替えることができるようにする。２種類以上の時間差を用意し、第１の時間差で自動スライドショー表示中に、選択されたコマ画像まで表示を行った後、第２の時間差に切り替えることもできるようにする。【選択図】        図２
2004349747.tif 000002
【特許請求の範囲】
【請求項１】
複数のコマ画像が一覧表示される１枚の元画像を表示する元画像表示ステップと、
前記コマ画像を単独で表示するコマ画像表示ステップと、
を有する画像表示方法であって、
該画像表示方法は、
前記元画像表示ステップにより表示された前記元画像内の所望の前記コマ画像が表示された位置を選択することにより、該コマ画像を選択するコマ画像選択ステップ、
を有することを特徴とする画像表示方法。
【請求項２】
前記複数のコマ画像を順々に時間差をもってスライドショー表示するスライドショー表示ステップ、
をさらに有することを特徴とすると請求項１記載の画像表示方法。
【請求項３】
前記スライドショー表示を自動的に行う自動スライドショー表示ステップ、
をさらに有することを特徴とする請求項２記載の画像表示方法。
【請求項４】
前記スライドショー表示をマニュアル操作によって行うマニュアルスライドショー表示ステップ、
をさらに有することを特徴とする請求項２または３記載の画像表示方法。
【請求項５】
前記自動スライドショー表示ステップで前記スライドショー表示中に、前記コマ画像選択ステップにより選択されたコマ画像まで表示を行った後、前記マニュアルスライドショー表示ステップに切り替わるステップ、
をさらに有することを特徴とする請求項４記載の画像表示方法。
【請求項６】
前記時間差を少なくとも２種類用意し、第１の前記時間差で前記自動スライドショー表示ステップにより前記スライドショー表示中に、前記コマ画像選択ステップにより選択された前記コマ画像まで表示を行った後、第２の前記時間差に切り替わるステップ、
をさらに有することを特徴とする請求項３から５のいずれか１項に記載の画像表示方法。
【請求項７】
前記複数のコマ画像の先頭から、前記コマ画像選択ステップにより選択したコマ画像までのコマ数を計算するステップ、
をさらに有することを特徴とする請求項１から６のいずれか１項に記載の画像表示方法。
【請求項８】
前記計算されたコマ数を表示するステップ、
をさらに有することを特徴とする請求項７記載の画像表示方法。
【請求項９】
請求項１から８のいずれか１項に記載の画像表示方法をコンピュータに実行させることを特徴とする画像表示プログラム。
【請求項１０】
請求項９記載の画像表示プログラムが記録されたことを特徴とするコンピュータ読み取り可能な記録媒体。
【発明の詳細な説明】
【０００１】
【発明の属する技術分野】
本発明は、画像表示方法、画像表示プログラム及び記録媒体に関し、特に、連写撮影された複数のコマ画像を、１枚の画像に集合させた画像から、各コマ画像を動画表示させるスライドショーにおける画像表示方法、画像表示プログラム及び記録媒体に関する。
【０００２】
【従来の技術】
従来から、同一の被写体について時系列的に多数の画像を取得し、それら複数の画像を一覧的に表示して比較・対象することにより画像の時系列的な変化を把握することが行われていた（例えば、特許文献１参照。）。
【０００３】
さらに、近時、１枚の画像に集合させた複数の画像から、各コマ画像を動画表示させるスライドショー表示方法も提案されている。この方法は、複数のコマ画像を並べ１枚の画像にした画像から、画像を１コマづつ表示して動画のようにスライドショー表示する方法である。
【０００４】
【特許文献１】
特開２０００−２９３１５７号公報
【０００５】
【発明が解決しようとする課題】
しかし、かかるスライドショー表示を自動にすると、１枚中の画像すべてが最後まで表示されてしまう。すなわち、従来のスライドショーにおける自動表示方法では、１枚の画像の中のすべてのコマ画像を順々に、一度で表示するので、ゴルフスイングなどインパクトの瞬間の前後だけを、ゆっくり表示させて見たい場合でもそれができなかった。
【０００６】
そこで、本発明の目的は、簡単な操作で、ゆっくり表示させたいコマを自由に選択でき、選択されたコマの前後に映っている被写体の状態を仔細に観察することができる画像表示方法、画像表示プログラム及び記録媒体を提供することにある。
【０００７】
また、請求項５から１０記載の発明は、ゆっくり表示させたいコマを選択し、そのコマ画像の表示後にマニュアル表示モードにできるようにして、選択されたコマの前後に映っている被写体の状態を仔細に研究することができる画像表示方法、画像表示プログラム及び記録媒体を提供することを目的とする。
【０００８】
また、請求項６から１０記載の発明は、ゆっくり表示させたいコマを選択し、最初のスライドショー実行時には比較的短い時間間隔で表示し、選択したコマ画像の表示後に、比較的長い時間間隔で表示できるようにして、選択されたコマの前後のコマ画像に映っている被写体の状態を仔細に研究することができ、しかも、いちいちキーボードやマウスをクリックするなどの操作が必要ない画像表示方法、画像表示プログラム及び記録媒体を提供することを目的とする。
【０００９】
【課題を解決するための手段】
上記の目的を達成するために、請求項１記載の発明によれば、画像表示方法は、複数のコマ画像が一覧表示される１枚の元画像を表示する元画像表示ステップと、コマ画像を単独で表示するコマ画像表示ステップと、を有する画像表示方法であって、元画像表示ステップにより表示された元画像内の所望のコマ画像が表示された位置を選択することにより、コマ画像を選択するコマ画像選択ステップ、を有することを特徴とするものである。
【００１０】
請求項２記載の発明によれば、画像表示方法は、複数のコマ画像を順々に時間差をもってスライドショー表示するスライドショー表示ステップ、をさらに有する請求項１記載の画像表示方法であることを特徴とするものである。
【００１１】
請求項３記載の発明によれば、画像表示方法は、スライドショー表示を自動的に行う自動スライドショー表示ステップ、をさらに有する請求項２記載の画像表示方法であることを特徴とするものである。
【００１２】
請求項４記載の発明によれば、画像表示方法は、スライドショー表示をマニュアル操作によって行うマニュアルスライドショー表示ステップをさらに有することを特徴とする請求項２または３記載の画像表示方法であることを特徴とするものである。
【００１３】
請求項５記載の発明によれば、画像表示方法は、自動スライドショー表示ステップでスライドショー表示中に、前記コマ画像選択ステップにより選択されたコマ画像まで表示を行った後、マニュアルスライドショー表示ステップに切り替わるステップ、をさらに有することを特徴とする請求項４記載の画像表示方法であることを特徴とするものである。
【００１４】
請求項６載の発明によれば、画像表示方法は、時間差を少なくとも２種類用意し、第１の時間差で自動スライドショー表示ステップによりスライドショー表示中に、コマ画像選択ステップを用いて選択したコマ画像まで表示を行った後、第２の時間差に切り替わるステップ、をさらに有することを特徴とする請求項３から５のいずれか１項に記載の画像表示方法であることを特徴とするものである。
【００１５】
請求項７記載の発明によれば、画像表示方法は、複数のコマ画像の先頭から、コマ画像選択ステップを用いて選択したコマ画像までのコマ数を計算するステップをさらに有する請求項１から６のいずれか１項に記載の画像表示方法であることを特徴とするものである。
【００１６】
請求項８記載の発明によれば、画像表示方法は、計算されたコマ数を表示するステップをさらに有する請求項７記載の画像表示方法であることを特徴とするものである。
【００１７】
請求項９記載の発明によれば、画像表示プログラムは、請求項１から８のいずれか１項に記載の画像表示方法をコンピュータに実行させることを特徴とするものである。
【００１８】
請求項１０記載の発明によれば、記録媒体は、請求項９記載の画像表示プログラムが記録されたコンピュータ読み取り可能な記録媒体であることを特徴とするものである。
【００１９】
【発明の実施の形態】
次に、本発明による画像表示方法、画像表示プログラム及び記録媒体の実施の形態を詳細に説明する。
【００２０】
図１には、本発明による画像表示方法等の一実施形態において用いられるパーソナルコンピュータのブロック図が示されている。
【００２１】
本発明による画像表示方法は、図１のようなパーソナルコンピュータ上のプログラムメモリに記憶されたアプリケーションプログラムによって行われる。
【００２２】
図１において、パーソナルコンピュータ１００は、パソコン本体１０と、モニタ２０と、キーボード３０と、マウス４０と、ＵＳＢデバイス５０と、を有して構成される。パソコン本体１０は、ＣＰＵボード１と、記憶装置２と、プログラムメモリ３と、を有して構成されている。
【００２３】
ＣＰＵボード１は、アプリケーションプログラムをプログラムメモリ３から読み出し、その指令に応じて処理を実行する。キーボード３０、マウス４０からのユーザ操作の検出や、画像のモニタ２０への表示や、ＵＳＢデバイス５０などのデバイスによって外部から読み込んだ画像データのハードディスクなどの記憶装置２への保存等を行う。
【００２４】
本発明の画像表示方法は、外部のデジタルカメラ２００から読み込んだ、複数のコマ画像を１つの画像へ集合させた画像の表示方法である。図２にモニタ２０上に表示した態様を示す。
【００２５】
図２には、本発明による画像表示方法等の一実施形態におけるモニタ画面が示されている。
【００２６】
この複数のコマ画像は、一般的には連写によって所定の時間間隔で点線の矢印の順序に撮影されたもので、そのコマ画像を１コマづつ撮影された時間間隔と同等の時間Ｔ１でモニタ２０に自動で表示させていくと、動画のようなスライドショーが表示できる。
【００２７】
また、マニュアル操作での表示は、スライドショー実行後にマウスをクリックすると、クリックごとに順々に次のコマ画像を表示するものである。
【００２８】
本発明では、このスライドショー自動表示からマニュアル操作表示に移行させるコマ画像の位置選択を、図２に示すように、スライドショー実行前の、元の画像をモニタに表示させている時に画像上をマウスでクリックすることにより行う。
【００２９】
例えば、図２のＡの位置にマウスポインタを移動させ、そこでクリックすると、そのコマ画像に○の選択マークを表示させ、以下のような計算式でコマの先頭からの位置を計算し、モニタ画面の下に表示する。
【００３０】
マウスポインタの位置を、例えば、図２の（Ｘ，Ｙ）の座標位置でクリックされたとし、画像全体の幅をＸｍａｘ，画像全体の高さをＹｍａｘ、画像のＸ方向の総コマ数をＮＸｍａｘ、像のＹ方向の総コマ数をＮｙｍａｘ、また、コマ画像単位のＸ方向の位置をＮｘ、向からの位置をＮｙとする。
【００３１】
１コマ画像の幅＝Ｘｍａｘ／Ｎｘｍａｘ
１コマ画像の高さ＝Ｙｍａｘ／Ｎｙｍａｘ
コマ画像のＸ方向位置Ｎｘ＝Ｘ／（１コマ画像の幅）
コマ画像のＹ方向の位置Ｎｙ＝Ｙ／（１コマ画像の高さ）
【００３２】
（コマ画像のＸ，Ｙ方向位置計算の割算の余りは切り捨てる）
従って、先頭の画像を０番目とし、マウスクリックしたＡの画像の先頭からのコマ数Ｎは、
先頭からのコマ数Ｎ＝Ｎｙ  ×  Ｎｘｍａｘ  ＋  Ｎｘとなる。
【００３３】
具体的な数値で考える。Ｘｍａｘが１０２４、Ｙｍａｘが７２８、Ｎｘｍａｘ、Ｎｙｍａｘが４、マウス位置が（３００，４００）の場合、
１コマ画像の幅＝２５６
１コマ画像の高さ＝１８２
コマ画像のＸ方向位置Ｎｘ＝１
コマ画像のＹ方向の位置Ｎｙ＝２
【００３４】
従って、クリックしたＡの画像の先頭からのコマ数Ｎは、
先頭からのコマ数Ｎ＝２×４＋１＝９となる。
【００３５】
また、選択されたＮ番目のコマ画像を表示後にマニュアル操作表示ではなく、自動表示の間隔をＴ１より長いＴ２時間にするようにしてもよい。こうすることにより、Ｎ番目のコマ画像表示までは短い間隔でコマ画像が順々に表示され、Ｎ番目のコマ画像の表示後は、ゆっくり切り替わって表示するようにできる。
【００３６】
次に、図３に、本発明による画像表示方法、画像表示プログラム及び記録媒体の一実施形態のフローチャートを示す。
【００３７】
まず、ステップＳ１で、マウスがクリックされたかどうかを検出する。クリックされていればステップＳ２に進み、前述した計算式によって、先頭からのコマ画像数Ｎを計算して表示する。ステップＳ１にてマウスクリックされていなければステップＳ３に進む。
【００３８】
ステップＳ３では、スライドショー実行操作が行われたかどうかを検出する。Ｓ３で実行操作を検出したら、ステップＳ４に進み、そうでなければステップＳ１に戻る。
【００３９】
ステップＳ４では、スライドショーのコマ画像表示の間隔設定（自動スライドショーの場合は前述の撮影間隔に近いＴ１時間）や、マニュアル、自動などのスライドショー表示の表示条件設定をする。また、現在の表示コマ番号Ａに０をセットする。次にステップＳ５に進み、先頭からＡ番目のコマ画像を表示し、ステップＳ６に進む。
【００４０】
ステップＳ６ではＡと最大コマ画像数とを比較し、Ａが小さければステップＳ７に進み、等しいかＡが大きければこのフローを終了する。ステップＳ７では、先頭からのコマ画像数ＮとＡを比較し、一致していればステップＳ８に進み、一致していなければステップＳ９にジャンプする。
【００４１】
ステップＳ８では、スライドショー表示条件を変更する。例えば、Ｎ番目のコマ画像表示以降は、自動スライドショーの表示間隔を長くするのであれば、表示間隔時間を前述のＴ２に設定する。
【００４２】
また、ここでマニュアル表示モードに移行すれば、これ以降マウスをクリックするごとにコマ画像が順々に表示されることになる。次にステップＳ９に進み、Ａを１増加させステップＳ１０に進む。
【００４３】
ステップＳ１０では、マニュアル表示モードかどうかをチェックする。マニュアル表示モードであれば、ステップＳ１１に進み、マウスがクリックされるまで待つ。マウスがクリックされればステップＳ５に戻る。ステップＳ１０でマニュアル表示モードではなく自動表示モードであれば、ステップＳ１２に進み、現在設定されている自動スライドショーの表示間隔時間ウエイトし、ステップＳ５に戻る。
【００４４】
【発明の効果】
請求項１から１０記載の発明によれば、簡単な操作で、ゆっくり表示させたいコマを自由に選択でき、選択されたコマの前後に映っている被写体の状態を仔細に観察することができる。
【００４５】
請求項５から１０記載の発明によれば、ゆっくり表示させたいコマを選択し、そのコマ画像の表示後にマニュアル表示モードにできるので、その前後に映っている被写体の状態を仔細に研究することができる。
【００４６】
請求項６から１０記載の発明によれば、ゆっくり表示させたいコマを選択し、最初のスライドショー実行時には比較的短い時間間隔で表示し、選択したコマ画像の表示後に、比較的長い時間間隔で表示できるので、その前後のコマ画像に映っている被写体の状態を仔細に研究することができる。また、キーボードやマウスをクリックするなどの操作が必要がなく、便利になる。
【図面の簡単な説明】
【図１】本発明による画像表示方法、画像表示プログラム及び記録媒体の一実施形態において用いられるパーソナルコンピュータのブロック図である。
【図２】本発明による画像表示方法、画像表示プログラム及び記録媒体の一実施形態において用いられるモニタ画面のイメージ図である。
【図３】本発明による画像表示方法、画像表示プログラム及び記録媒体の一実施形態のフローチャートである。
【符号の説明】
１  ＣＰＵボード
２  記憶装置
３  プログラムメモリ
１０  パソコン本体
２０  モニタ
３０  キーボード
４０  マウス
５０  ＵＳＢデバイス
１００  パーソナルコンピュータ
２００  デジタルカメラ
【図１】
2004349747.tif 000003
【図２】
2004349747.tif 000004
【図３】
2004349747.tif 000005